(57)【要約】      （修正有）【課題】リビングルームにおいて長時間使用されても、吸臭、及び吸湿の能力を持つ無機吸湿材料を持っている吸湿材付き装飾性テレビボードを提供する。【解決手段】吸湿できるテレビボードであって、厚さ０．１〜２５ｍｍオーク、又はウォルナット木製の突板張り板、又は平板から製作された幅１２００〜２０００ｍｍ、奥行き４００〜５００ｍｍ、高さ２００〜５００ｍｍの略長方形の箱体３で、前面に棚８付き開き戸と引き出しとテレビ積載台で構成されており、箱体内部の１〜４面にパーミキュライトとケイ酸カルシウムと繊維質材とを含む調湿材で、厚さ３〜６ｍｍで、縦横それぞれ１５０〜９００ｍｍの高吸湿・吸臭性平板２を張った収納内部で、１〜４箇所で開閉可能にしている吸湿材付き装飾性テレビボード１である。【選択図】図２
0003207143.tif 000002
【実用新案登録請求の範囲】
【請求項１】
吸湿できるテレビボードにおいて、厚さ０．１〜２５ｍｍオーク、又はウォルナット木製の突板張り板、又は平板から製作された幅１２００〜２０００ｍｍ、奥行き４００〜５００ｍｍ、高さ２００〜５００ｍｍの略長方形の箱体で、前面に棚付き開き戸と引き出しとテレビ積載台で構成されており、箱体内部の１〜４面にパーミキュライトとケイ酸カルシウムと繊維質材とを含む調湿材である、厚さ３〜６ｍｍで、縦横それぞれ１５０〜９００ｍｍの高吸湿・吸臭性平板を張った収納内部で、１〜４箇所で開閉可能にしていることを特徴とする吸湿材付き装飾性テレビボード。
【請求項２】
テレビ積載台の内部に張る高吸湿・吸臭性無機性平板の主成分は、吸臭性、並びに吸湿性を高めた無機性であるバーミキュライトとケイ酸カルシウムからなる基材に配合されており、その配合量が全組成物（固形分）の５〜７０質量％であって、その他石灰質材料と補強繊維を含有している吸臭・吸湿できる略正方形、又は略長方形の平版形状になっている容積体の表面積を、テレビボードの内部容器である１００〜５００Ｌの容積に対して０．２〜２ｍ２の表面積を持っている前記高吸湿・吸臭性平板材料を使用していることを特徴とする請求項１に記載の吸湿材付き装飾性テレビボード。
【請求項３】
吸湿・吸臭性のテレビボードは、前面に開口として開閉扉と引き出しとを持って、収納、又は取り出しが可能にしており、上面の天板を厚さ３０〜５０ｍｍ天板材、及び底部に脚、又は台座を取り付けていることを特徴とする請求項１、又は請求項２に記載の吸湿材付き装飾性テレビボード。
【請求項４】
装飾性を高めるために、前記テレビボードの前板の表面は、オーク、又はウォルナット木製の突板張り板、又は平板を使用して、幅１２００〜２０００ｍｍの一枚のひとつながりの木目を持った通し板になって、開き戸と引き出しもその表面板の同一板で構成されており、板面に節体を１〜５個を持っている材料になっていることを特徴とする請求項１〜請求項３のいずれかに記載の吸湿材付き装飾性テレビボード。
【考案の詳細な説明】
【技術分野】
【０００１】本考案は、リビングルームでの電気製品を長時間使用されても、電気機器から発生する熱、それに伴う臭いを吸収する機能を持つ吸臭・吸湿材を取り付けて、部屋内の吸湿・吸臭を可能にする無機性吸湿材ボート取り付けたテレビボードに関する。
【背景技術】
【０００２】住宅内では、湿気、臭いの発生する箇所として、キッチンルーム、脱衣室の浴室出口付近、洗面所、トイレの水回り部屋では、水の飛散により濡れ易くそして湿気を帯びるため、感触が劣化するとともに特に高温多湿な梅雨期などではカビ、雑菌の発生が誘発され衛生状態の低下を招く恐れがある。吸湿性が高い無機質材料が期待される。それ以外に大勢の人が集まるリビングルームの吸湿、吸臭性が求められている。【０００３】特に臭気物を捨てる際、内部臭気の漏れがなく、又、不快な内部の収納物が視界に入らず、特に、閉じられた空間に設置されている場合においては、空間に臭気が充満することがなくなり、きわめて有効である臭気物用の箱体として、脱臭装置を取り付けているものが提案されている（特許文献１参照）。【０００４】一定の長さにカットした円筒型の備長炭を立てた状態で収納ボックスに収納し、上から蓋で固定することにより備長炭の安定性を高めると同時に、長方形のボックスが基本ユニットになるために、単体での使用はもとより、マット状に並べて敷くことも可能となる。また、収納ボックスに設けた空気穴により、備長炭の調湿作用や消臭・除菌作用を効果的に機能させることが可能となるものが提案されている（特許文献２参照）。【０００５】吸放湿性を有する木製の脱臭剤収納容器内に粒状化した木炭を脱臭剤として収納し、脱臭剤収納容器で余分な湿気を除去して木炭への水分の吸着を減らすことにより、長期間木炭の吸着力を保ち、粒状化して表面積を増大させた木炭で収納空間雰囲気中の臭気成分を確実に吸着させて脱臭を行えることとなり、脱臭能力を長期にわたり維持できる。また、脱臭剤収納容器が木製であることにより、収納棚等の木肌が現れている内部に置いても違和感がなく、周囲に溶け込ませてデザイン的な統一感も得られる容器が提案されている（特許文献３参照）。【０００６】鉱物系材料の一つとしてバーミキュライトがある。このバーミキュライト（ヒル石）は、黒雲母に類似した粘土鉱物であり、高温で脱水により層に垂直の方向に著しく膨張して、ヒルのように伸び多孔体となる。このため、断熱性、吸音性に優れるので、基材への配合材（充填材、増量材）、さらには基材として断熱材、吸音材をはじめとする各種建材に、その軽量化の目的と併せて用いられることが多い。一方、バ−ミキュライトは吸湿能力があまり高くないため、調湿材としてはまったく顧みられていない（特許文献４参照）。【０００７】石膏、ケイ酸カルシウム、セメント、スラグ石膏もしくは塩基性炭酸マグネシウムの一種以上から選択される親水性基材を含む建材組成物を成形して得られる建材を表面焼付け処理してなる化粧建材の提案がある（特許文献５参照）。
しかし無機材料であって、吸湿性、吸臭性が高く、リビングルームなどに設置されるものはない。テレビボードなど電気製品を収納する家具については、これら吸湿性、吸臭性の高い材料は使用されていない。
【先行技術文献】
【特許文献】
【０００８】
【特許文献１】実開平６−８３６０１号公報
【特許文献２】実用新案登録第３０７７５４６号公報
【特許文献３】実用新案登録第３０５０９１０号公報
【特許文献４】特開２００２−２８５０３７号公報
【特許文献５】特開２００３−１４６７７５号公報
【考案の概要】
【考案が解決しようとする課題】
【０００９】前記のように、一般の住宅リビングルームでは、種々の臭い、或いは電気器具の使用で発生する、臭い、或いは湿気が発生して、部屋の環境が悪くなったり、健康を害することもある。発生する臭い、湿気を取り除き、優れた部屋環境にすることができない状態である。また前記吸吸臭・吸湿性を備えた容器において、キッチン内の部屋が臭いを発生して、或いはリビングルームでのテレビボード内部の湿気、臭いが充満して、しかもカビ、雑菌などの発生の恐れもあり衛生状態を継続できないという問題がある。【００１０】本考案は、バーミキュライトとセメント、ケイ酸カルシウムを含む調湿材を用い、かつ平面矩形状に形成された高吸湿板を用いることを基本とし、キッチンなどの料理をする水周りにおいて長時間使用されても、吸湿・吸臭の能力が高いため乾燥した表面状態を維持できて、部屋内が常に快適な感触が得られ、しかも良好な衛生状態を維持しうる吸湿・吸臭できるテレビボードの提供を課題としている。【００１１】鉱物系材料の一つとしてケイ酸カルシウム、バーミキュライトがある。バーミキュライト（ヒル石）は、黒雲母に類似した粘土鉱物であり、高温で脱水により層に垂直の方向に著しく膨張して、ヒルのように伸び多孔体となる。このため、吸湿性、断熱性、吸湿性に優れるので、リビングルームに設置するテレビボードに前記の吸湿性、断熱性、吸湿性に優れる基材を取り付けることによって、吸湿・吸臭できるテレビボードの供給を目的と、そのデザイン性、安定性の目的と併せて用いられるとしている。
【課題を解決するための手段】
【００１２】吸湿できるテレビボードにおいて、厚さ０．１〜２５ｍｍオーク、又はウォルナット木製の突板張り板、又は平板から製作された幅１２００〜２０００ｍｍ、奥行き４００〜５００ｍｍ、高さ２００〜５００ｍｍの略長方形の箱体で、前面に棚付き開き戸と引き出しとテレビ積載台で構成されており、箱体内部の１〜４面にパーミキュライトとケイ酸カルシウムと繊維質材とを含む調湿材である、厚さ３〜６ｍｍで、縦横それぞれ１５０〜９００ｍｍの高吸湿・吸臭性平板を張った収納内部で、１〜４箇所で開閉可能にしている吸湿材付き装飾性テレビボードである。【００１３】テレビ積載台の内部に張る高吸湿・吸臭性無機性平板の主成分は、吸臭性、並びに吸湿性を高めた無機性であるバーミキュライトとケイ酸カルシウムからなる基材に配合されており、その配合量が全組成物（固形分）の５〜７０質量％であって、その他石灰質材料と補強繊維を含有している吸臭・吸湿できる略正方形、又は略長方形の平版形状になっている容積体の表面積を、テレビボードの内部容器である１００〜５００Ｌの容積に対して０．２〜２ｍ２の表面積を持っている前記高吸湿・吸臭性平板材料を使用している。【００１４】吸湿・吸臭性のテレビボードは、前面に開口として開閉扉と引き出しとを持って、収納、又は取り出しが可能にしており、上面の天板を厚さ３０〜５０ｍｍ天板材、及び底部に脚、又は台座を取り付けている。【００１５】装飾性を高めるために、前記テレビボードの前板の表面は、オーク、又はウォルナット木製の突板張り板、又は平板を使用して、幅１２００〜２０００ｍｍの一枚の通し板になって、開き戸と引き出しもその表面板の同一板で構成されており、板面に節体を１〜５個を持っている材料になっている。
【考案の効果】
【００１６】テレビ積載台の内部に張る高吸湿・吸臭性無機性平板の主成分は、バーミキュライトを主成分としてセメント、ケイ酸カルシウム、スラグ石膏の一種以上から選択される基材は、リビングルーム周りにおける湿気、臭いを充分に吸湿、吸臭でき、その表面が常に乾いた状態を維持して発生する臭い、湿気を取り除き、優れた環境にすることができる。また前記吸吸臭・吸湿性を備えた容器において、部屋内の部屋が臭いをしないもので、或いはリビングルームでの内部の湿気、臭いを容易に取り出し、しかもカビ、雑菌などの発生の恐れなく衛生状態を継続しうる。【００１７】また、高吸水性平板は、バーミキュライトを主成分として、ケイ酸カルシウムを３０〜７０％重量含むため、高い吸水、吸臭の能力を有して常に乾燥に近い状態を維持でき、高さが３００〜７００ｍｍの箱体であるので、使用者に対して安全に使用でき、人体に安全で腐食性、あるいは湿気、臭いを吸収する無機材料を置いても有効であった。【００１８】テレビボードの前板の表面は、オーク、又はウォルナットの一枚の通し板になって、開き戸と引き出しもその表面板の同一板でひとつながりの木目を持って構成されており、板面に節体を１個以上を持っている材料を使用しているために、前板が自然の風合いの自然観を持って、重厚性を感じさせる装飾性の家具になっている。
【図面の簡単な説明】
【００１９】
【図１】  吸湿材付きテレビボードの斜視図である。
【図２】  吸湿材付きテレビボードの吸湿材の使用と内部状態の図である。Ａ：４枚開閉口  Ｂ：３枚開閉口
【図３】  吸湿材付きテレビボードの使用状態での斜視図である。
【考案を実施するための形態】
【００２０】以下、本考案の実施の一形態を、図示例とともに説明する。図１に示すように、吸湿・吸臭ボックス体は、パーミキュライトとケイ酸カルシウムと繊維質材とを含む調湿材を含む無機性高吸水性平板の容積体を収めた木製の略正方形、又は略長方形の箱体からなっている。
【実施例１】
【００２３】図１に示すように吸湿できるテレビボードにおいて、厚さ１ｍｍウォルナット突板を張った厚さ２５ｍｍ板材から製作された幅２０００ｍｍ、奥行き４５０ｍｍ、高さ４５０ｍｍの略長方形の箱体で、図３に示すように前面に２枚の開き戸と２枚の引き出しで構成されているテレビ積載台で、図２Ａに示すように箱体内部の上面にパーミキュライトとケイ酸カルシウムと繊維質材とを含む調湿材である、厚さ４ｍｍで、縦横それぞれ４００ｍｍと４００ｍｍの高吸湿・吸臭性平板を張った収納内部で、開き戸２個と引き出し１個の３箇所で開閉可能にした。【００２４】テレビ積載台の内部に張る高吸湿・吸臭性無機性平板の主成分は、吸臭性、並びに吸湿性を高めた無機性であるバーミキュライトとケイ酸カルシウムからなる基材に配合されており、その配合量が全組成物（固形分）の４０質量％であって、その他石灰質材料と補強繊維を含有している吸臭・吸湿できる略正方形、の平版形状になっている容積体の表面積を、テレビボードの内部容器である３５０Ｌの容積に対して０．６ｍ２の表面積を持っている前記高吸湿・吸臭性平板材料を使用した。また無機性高吸水性平板の色彩として黒褐色のウォルナット色で、表面内のデザインとして、無垢の状態にした。これによって、内部の熱による湿気も吸収するので、雑菌の繁殖も減少した。清潔に保たれた。
【実施例２】
【００２５】図１に示すように吸湿できるテレビボードにおいて、厚さ１ｍｍウォルナット突板を張った厚さ２５ｍｍ板材から製作された幅１８００ｍｍ、奥行き４５０ｍｍ、高さ４５０ｍｍの略長方形の箱体で、図３に示すように前面に２枚の開き戸と２枚の引き出しで構成されているテレビ積載台で、図２Ａに示すように箱体内部の上面にパーミキュライトとケイ酸カルシウムと繊維質材とを含む調湿材である、厚さ４ｍｍで、縦横それぞれ３００ｍｍと３００ｍｍの高吸湿・吸臭性平板を張った収納内部で、開きと引き出しとの２箇所で開閉可能にした。【００２６】テレビ積載台の内部に張る高吸湿・吸臭性無機性平板の主成分は、吸臭性、並びに吸湿性を高めた無機性であるバーミキュライトとケイ酸カルシウムからなる基材に配合されており、その配合量が全組成物（固形分）の４０質量％であって、その他石灰質材料と補強繊維を含有している吸臭・吸湿できる略正方形、の平版形状になっている容積体の表面積を、テレビボードの内部容器である３００Ｌの容積に対して０．５ｍ２の表面積を持っている前記高吸湿・吸臭性平板材料を使用した。また無機性高吸水性平板の色彩としてウォルナット色で、表面内のデザインとして、無垢の状態にした。これによって、内部の熱による湿気も吸収するので、雑菌の繁殖も減少した。清潔に保たれた。
【実施例３】
【００２７】吸湿できるテレビボードにおいて、厚さ１ｍｍオーク木製の平板から製作された幅１５００ｍｍ、奥行き４００〜５００ｍｍ、高さ５００ｍｍの略長方形の箱体で、前面に４枚の開き戸で構成されているテレビ積載台で、箱体内部の１〜４面にパーミキュライトとケイ酸カルシウムと繊維質材とを含む調湿材である、厚さ４ｍｍで、縦横それぞれ３００ｍｍの高吸湿・吸臭性平板を天板の裏面収納内部で、４箇所で開閉可能にした。【００２８】テレビ積載台の内部に張る高吸湿・吸臭性無機性平板の主成分は、吸臭性、並びに吸湿性を高めた無機性であるバーミキュライトとケイ酸カルシウムからなる基材に配合されており、その配合量が全組成物（固形分）の５０質量％であって、その他石灰質材料と補強繊維を含有している吸臭・吸湿できる略正方形、又は略長方形の平版形状になっている容積体の表面積を、テレビボードの内部容器である２００Ｌの容積に対して０．５ｍ２の表面積を持っている前記高吸湿・吸臭性平板材料を使用した。
【符号の説明】
【００２９】１  吸湿・吸臭体付きテレビボート
２  高吸湿・吸臭性平板
３  木製箱体
４  側板
５  開閉部（口）
６  開き戸
７  天板
８  棚
９  引き出し
１０  ガラス
１１  テレビ
１２  台座
【図１】
0003207143.tif 000003
【図２】
0003207143.tif 000004
【図３】
0003207143.tif 000005